(57)【要約】      （修正有）【課題】ガス発生器の外部に排出される燃焼残渣量が減少されたガス発生器の提供。【解決手段】カップ部材20と筒状ハウジング内壁面11aとの間には間隙25が形成されている。点火器12の作動時には、カップ部材20は距離Ｌだけ摺動した後、第２停止手段17により摺動が停止される。カップ部材20のガス通過孔23から排出された燃焼ガスは、距離Ｌに相当する内壁面11aと衝突するため、燃焼残渣の捕捉効果が高められる。【選択図】図１
2017121858.tif 000002
【特許請求の範囲】
【請求項１】
ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第２端開口部側にガス排出口を有しているものであり、
前記筒状ハウジング内には、底面部と、複数のガス通過孔が形成された周壁部と、開口部を有している、前記開口部の外径（ｄ１）が前記底面部の外径（ｄ２）よりも大きなカップ部材が配置されており、
前記カップ部材が、前記開口部が前記点火器側に面するようにして、前記開口部側の周壁部が前記筒状ハウジングの内壁面に当接され、前記当接部分を除いた周壁部と前記筒状ハウジングの内壁面との間に間隙が形成されて配置されており、
前記カップ部材と前記点火器で軸方向から挟まれた空間内にガス発生源となるガス発生剤が充填されているものであり、
前記点火器が作動する前には、前記カップ部材が第１停止手段により前記第２端開口部側への摺動が停止されており、
前記点火器の作動時には、前記ガス発生剤の燃焼により生じた圧力を受けて前記第１停止手段による停止が解除され、前記カップ部材が前記第２端開口部側に距離Ｌだけ摺動した後、前記第１停止手段よりも前記第２端開口部側に形成されている第２停止手段により摺動が停止されるものである、ガス発生器。
【請求項２】
前記筒状ハウジングが、前記第２端開口部側の周壁部および前記第２端開口部の閉塞面の少なくとも一方にガス排出口を有しており、
前記カップ部材が、前記開口部が前記点火器カラーに当接されて配置されているものであり、
前記第２停止手段が、前記筒状ハウジングの内壁面から内側に突き出された凸部であり、
前記点火器の作動時において、前記カップ部材が前記第２端開口部側に距離Ｌだけ摺動したとき、前記カップ部材開口部の外径（ｄ１）の周壁部が前記第２停止手段である凸部と接触して摺動が停止されるものである、請求項１記載のガス発生器。
【請求項３】
前記筒状ハウジングが、前記第２端開口部側の周壁部にガス排出口を有しており、
前記カップ部材が、前記筒状ハウジングの第１端開口部から第２端開口部までの長さを１としたとき、第２端開口部から１／２〜１／２０長さ範囲に前記底面が位置し、前記開口部が前記点火器側に面するように配置されているものであり、
前記第２停止手段が、前記筒状ハウジングの第２端開口部側の閉塞面であり、
前記点火器の作動時において、前記カップ部材が前記第２端開口部側に距離Ｌだけ摺動したとき、前記カップ部材の底面部が前記第２停止手段である閉塞面と衝突して摺動が停止されるものである、請求項１記載のガス発生器。
【請求項４】
前記筒状ハウジングが、前記第２端開口部側の周壁部にガス排出口を有しており、
前記カップ部材の摺動距離Ｌと、前記筒状ハウジングのガス排出口から前記カップ部材の底面部から最短距離のガス通過孔までの距離Ｌ１が、Ｌ１＞Ｌの関係を有しているものであり、
前記点火器の作動時において、前記カップ部材が第２端開口部側に距離Ｌだけ摺動した後、第２停止手段により停止されたとき、前記カップ部材の周壁部が有している複数のガス通過孔が、前記筒状ハウジングのガス排出口と半径方向に重ならないものである、請求項１〜３のいずれか１項に記載のガス発生器。
【請求項５】
ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第１端開口部と前記第２端開口部の間が閉塞部材で閉塞されているものであり、
前記第１端開口部と前記閉塞部材との間において、ガス発生源となるガス発生剤が充填された燃焼室が配置されており、
前記燃焼室と前記閉塞部材の間において、前記ガス排出口が形成されたガス流入室が配置されており、
前記閉塞部材と前記閉塞された第２端開口部の間において、ガス発生源となる加圧ガスが充填された加圧ガス室が配置されており、
前記燃焼室内には、
底面部と、複数のガス通過孔が形成された周壁部と、開口部を有している、前記開口部の外径（ｄ１）が前記底面部の外径（ｄ２）よりも大きなカップ部材が配置されており、
前記カップ部材が、前記開口部が前記点火器側に面するようにして、前記開口部側の周壁部が前記筒状ハウジングの内壁面に当接され、前記当接部分を除いた周壁部と前記筒状ハウジングの内壁面との間に間隙が形成されて配置されており、
前記カップ部材と前記点火器の間に前記ガス発生剤が充填されており、
前記ガス流入室内には、前記閉塞部材を破壊するための破壊手段と、前記破壊手段の摺動を制御するための第１停止手段と第２停止手段が配置されており、
前記破壊手段が、周面が前記ガス流入室を形成する筒状ハウジングの内壁面に当接された、複数の貫通孔を有する基板部と、前記基板部から垂設された、前記閉塞部材を破壊するための破壊部を有しているものであり、
前記第１停止手段が前記燃焼室側に形成され、前記第２停止手段が前記第１停止手段と前記ガス排出口の間に形成されているものであり、
前記燃焼室内に配置されたカップ部材の底面部と前記ガス流入室内に配置された破壊手段の基板部が直接当接されているか、または前記燃焼室とガス流入室との間を密閉するように配置されたシールカップを介して当接されており、
前記点火器が作動する前には、前記破壊手段の基板部が前記第１停止手段に当接されていることで、前記カップ部材と前記破壊手段の第２端開口部側への摺動が停止されており、
前記点火器の作動時には、前記ガス発生剤の燃焼により生じた圧力を受けて前記第１停止手段による停止が解除され、前記カップ部材と前記破壊手段が前記第２端開口部側に距離Ｌだけ摺動した後、第２停止手段により前記カップ部材と前記破壊手段の摺動が停止されるものである、ガス発生器。
【請求項６】
ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第２端開口部側にガス排出口を有しているものであり、
前記筒状ハウジング内の第１端開口部側には、前記点火器の着火部を覆うように被せられた筒部材と、前記筒部材の外側から被せられたカップ部材が配置されており、
前記筒部材が、前記点火器側の第１開口部において前記点火器カラーに固定され、前記第１開口部と軸方向反対側の第２開口部が第１ガス通過孔となり、内部にガス発生剤が充填されているものであり、さらに前記第１開口部側の周壁部において半径方向外側に突き出された第１停止手段となる第１凸部を有しているものであり、
前記カップ部材が、底面部と、複数の第２ガス通過孔が形成された周壁部、および半径方向内側に突き出された凸部が形成された開口部を有しており、前記周壁部と前記筒状ハウジングの内壁面との間に間隙が形成された状態で配置されているものであり、
前記筒部材と前記カップ部材が、前記カップ部材の凸部が前記筒部材の第１開口部と第１凸部の間の周壁部に当接されており、前記筒部材と前記カップ部材の当接されていない部分は互いに間隔が形成されるように配置されているものであり、
前記点火器が作動する前には、前記カップ部材の凸部が前記筒部材の第１凸部に当接されていることで、前記カップ部材の第２端開口部側への摺動が停止されており、
前記点火器の作動時には、前記ガス発生剤の燃焼により生じた圧力を受けて前記第１凸部による停止が解除され、前記カップ部材が前記第２端開口部側に距離Ｌだけ摺動した後、第２停止手段により摺動が停止されるものである、ガス発生器。
【請求項７】
前記筒状ハウジングが、前記第２端開口部側の周壁部および前記第２端開口部の閉塞面の少なくとも一方にガス排出口を有しており、
前記第２停止手段が、筒部材の第２開口部側の周壁部において半径方向外側に突き出された第２凸部であり、
前記点火器の作動時において、前記カップ部材が前記第２端開口部側に距離Ｌだけ摺動したとき、前記カップ部材の開口部側の凸部が前記第２停止手段である第２凸部と接触して摺動が停止されるものである、請求項６記載のガス発生器。
【請求項８】
前記筒状ハウジングが、前記第２端開口部側の周壁部にガス排出口を有しており、
前記第２停止手段が、前記筒状ハウジングの第２端開口部側の閉塞面であり、
前記点火器の作動時において、前記カップ部材が前記第２端開口部側に距離Ｌだけ摺動したとき、前記カップ部材の底面部が前記第２停止手段である閉塞面と衝突して摺動が停止されるものである、請求項６記載のガス発生器。
【請求項９】
前記筒状ハウジングが、前記第２端開口部側の周壁部および前記第２端開口部の閉塞面の少なくとも一方にガス排出口を有しており、
前記第２停止手段が、前記筒状ハウジングの内壁面に形成された縮径部であり、
前記点火器の作動時において、前記カップ部材が前記第２端開口部側に距離Ｌだけ摺動したとき、前記カップ部材の底面部が前記第２停止手段である縮径部と衝突して摺動が停止されるものである、請求項６記載のガス発生器。
【請求項１０】
前記筒状ハウジングが、前記第２端開口部側の周壁部にガス排出口を有しており、
前記第２カップ部材の摺動距離Ｌと、前記筒状ハウジングのガス排出口から前記第２カップ部材の底面部から最短距離のガス通過孔までの距離Ｌ１が、Ｌ１＞Ｌの関係を有しているものであり、
前記点火器の作動時において、前記第２カップ部材が第２端開口部側に距離Ｌだけ摺動した後、第２停止手段により停止されたとき、前記第２カップ部材の周壁部が有している複数のガス通過孔が、前記筒状ハウジングのガス排出口と半径方向に重ならないものである、請求項６〜８のいずれか１項に記載のガス発生器。
【請求項１１】
前記カップ部材の開口部側の周壁部のうち、前記筒状ハウジングの内壁面に当接している部分と当接していない部分の境界から前記カップ部材の開口部から最も近いガス通過孔までの距離Ｒと、前記カップ部材の摺動距離Ｌが、Ｒ＞Ｌの関係を有しているものである、請求項１〜５のいずれか１項記載のガス発生器。
【発明の詳細な説明】
【技術分野】
【０００１】
本発明は、自動車に搭載するエアバッグ装置などで使用できるガス発生器に関する。
【背景技術】
【０００２】
ガス発生源としてガス発生剤を使用したガス発生器では、前記ガス発生剤の燃焼により生じたミスト（溶融状態の金属）を含む燃焼残渣をガス発生器外にできるだけ排出させないことが望まれる。
【０００３】
特許文献１の発明のガス発生器は、第１燃焼室20内にカップ23が配置され、ハウジング15の内壁面21とカップ23との間に環状間隙28が形成されている。カップ23内に収容されたガス発生剤が燃焼したとき、燃焼ガスや燃焼残渣は孔26から噴出され、ハウジングの内壁面に衝突後、環状間隙28を通って移動する。このため、衝突によって燃焼ガスは冷却され、また残渣は捕集される。
【０００４】
特許文献２の発明のガス発生器は、ガス発生剤３０が燃焼して燃焼ガスが発生したとき、ピストン２４が軸方向に移動すると共に、ピストン２４の多孔を通過した燃焼ガスがチェンバー１６内に流入する。このため、チェンバー１６内の希ガス２２圧力が上昇して、バリア４６が破壊されることから、燃焼ガスと希ガスは排出口５２から排出される。
ピストン２４はフィルター機能を有していることが記載されているが、図１からは、ガス発生剤３０の充填量と対比すると十分なフィルター機能を発揮できるものとは考えられず、チェンバー１６に流入した燃焼ガスと燃焼残渣は、希ガス２２と共に排出口５２から排出されるため、実質的にはボトル１２の内壁面と接触することなく排出されることになる。しかし、特許文献１、２は、燃焼残渣の捕集という点ではまだ改良の余地が残っている。
【先行技術文献】
【特許文献】
【０００５】
【特許文献１】特開２００５−１１２００３号公報
【特許文献２】米国特許第５，７３２，９７２号明細書
【発明の概要】
【発明が解決しようとする課題】
【０００６】
本発明は、燃焼残渣を含む燃焼ガスをガス発生器内部において衝突させて捕捉することで、ガス発生器の外部に排出される燃焼残渣量が減少されたガス発生器を提供することを課題とする。
【課題を解決するための手段】
【０００７】
本発明（第１発明）は、ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第２端開口部側にガス排出口を有しているものであり、
前記筒状ハウジング内には、底面部と、複数のガス通過孔が形成された周壁部と、開口部を有している、前記開口部の外径（ｄ１）が前記底面部の外径（ｄ２）よりも大きなカップ部材が配置されており、
前記カップ部材が、前記開口部が前記点火器側に面するようにして、前記開口部側の周壁部が前記筒状ハウジングの内壁面に当接され、前記当接部分を除いた周壁部と前記筒状ハウジングの内壁面との間に間隙が形成されて配置されており、
前記カップ部材と前記点火器で軸方向から挟まれた空間内にガス発生源となるガス発生剤が充填されているものであり、
前記点火器が作動する前には、前記カップ部材が第１停止手段により前記第２端開口部側への摺動が停止されており、
前記点火器の作動時には、前記ガス発生剤の燃焼により生じた圧力を受けて前記第１停止手段による停止が解除され、前記カップ部材が前記第２端開口部側に距離Ｌだけ摺動した後、前記第１停止手段よりも前記第２端開口部側に形成されている第２停止手段により摺動が停止されるものである、ガス発生器を提供する。
【０００８】
第１発明のガス発生器は、ガス発生源としてガス発生剤のみを使用するものであり、質量が大きく、高価なフィルタ（クーラントフィルタ）は不要である。フィルタはガス発生剤の種類などに応じて使用することもできるが、その場合であっても、同じガス発生剤を同量使用する従来技術のガス発生器と比べると、フィルタ使用量を減少させることができる。
【０００９】
筒状ハウジングは、鉄、ステンレスなどの金属からなるものである。
筒状ハウジングが有しているガス排出口は、第２端開口部側にあればよく、第２端開口部側の周壁部に形成された貫通孔、第２端開口部の閉塞面に形成された貫通孔、または周壁部と閉塞面の両方に形成された貫通孔のいずれであってもよい。
ガス排出口が第２端開口部側の周壁部に形成されているときは、筒状ハウジングの第１端開口部から第２端開口部までの長さを１とすると、第２端開口部から０．３以下の長さ位置が好ましく、０．２以下の長さ位置がより好ましい。
ガス排出口は、１または複数を有しており、防湿のため、金属製のシールテープなどの公知の方法で閉塞されている。
【００１０】
カップ部材は、筒状ハウジングと同じ金属からなるものが好ましい。
カップ部材と点火器で軸方向から挟まれた空間が燃焼室となっており、公知のガス発生剤が充填されている。
カップ部材の取り付け位置は制限されるものではなく、充填されるガス発生剤の量などを考慮して調整することができるが、開口部が点火器に近い位置（好ましくは点火器カラーと接触する位置）から筒状ハウジングの長さの中間位置程度の範囲におけるいずれかの位置になるように取り付けられていることが好ましい。
【００１１】
点火器が作動する前は、カップ部材は第１停止手段により第２端開口部側への摺動が停止されている。
第１停止手段は、前記摺動を一時的に停止できるものであれば特に制限されるものではなく、例えば、筒状ハウジングの内壁面から突き出された凸部（複数の独立凸部または環状凸部）や縮径した内壁面を使用できる。
また第１停止手段としては、カップ部材と筒状ハウジングを複数点で溶接して、前記複数点（好ましくは２〜４点）の溶接部を第１停止手段とすることができる。
また第１停止手段としては、カップ部材の開口部側の外径と筒状ハウジングの内径を調整してカップ部材が筒状ハウジングに圧入できるようにすることで、カップ部材の開口部側の周壁面と筒状ハウジングの内壁面との圧接部分を第１停止手段とすることができる。
【００１２】
点火器が作動したとき、カップ部材は距離Ｌだけ摺動したあとで第２停止手段により停止される。
第２停止手段の位置は、カップ部材の取り付け位置（初期位置）を考慮して、必要な摺動距離Ｌが確保できるようにする。
第２停止手段は、筒状ハウジングの内壁面から突き出された凸部（好ましくは複数の独立凸部）を使用できる。このような第２停止手段は、カップ部材の初期位置が点火器に近い位置（好ましくは点火器カラーと接触する位置）である実施形態に適している。第２停止手段は、そのほか環状の凸部や縮径部であってもよい。
また第２停止手段としては、第２端開口部の閉塞面（第２端開口部の閉塞面から突き出された凸部も含む）を使用することもできる。
但し、第２端開口部の閉塞面にガス排出口が形成されている場合には、第２停止手段としては、筒状ハウジングの内壁面から突き出された凸部、または第２端開口部の閉塞面から突き出された凸部を使用する。
このような第２停止手段は、カップ部材の初期位置が筒状ハウジングの長さ方向の中間位置程度である実施形態に適している。
【００１３】
点火器が作動したとき、カップ部材と点火器で軸方向から挟まれた空間（燃焼室）内に充填されたガス発生剤が着火燃焼して燃焼ガスが発生する。
燃焼ガスの発生によって燃焼室内の圧力が上昇され、前記圧力の上昇を受けて第１停止手段による停止が解除されるため、カップ部材は第２端開口部側に摺動を開始して、距離Ｌだけ摺動した後、第２停止手段により摺動が停止される。
このようにカップ部材が停止状態から距離Ｌまで摺動する過程において、カップ部材の周壁部に形成されたガス通過孔から燃焼ガス（燃焼残渣を含む燃焼ガス）が排出される。前記ガス通過孔から排出された燃焼ガスは、前記ガス通過孔と対向している筒状ハウジングの内壁面に衝突したあと、筒状ハウジング内の空間を通ってガス排出口から排出される。
燃焼ガス（燃焼残渣を含む燃焼ガス）が筒状ハウジングの内壁面と衝突することによって、高温状態の燃焼残渣は筒状ハウジングの内壁面と衝突して冷却され、前記内壁面に付着して捕捉される。また燃焼ガスも冷却される。
ここでカップ部材が初期位置から動かない場合には、カップ部材周壁部のガス通過孔から排出された燃焼ガスは、筒状ハウジング内壁面の同じ箇所にのみ衝突することになるが、上記したとおり、カップ部材が距離Ｌだけ移動した場合には、カップ部材周壁部のガス通過孔から排出された燃焼ガスは、より広い面積の筒状ハウジング内壁面と衝突することになり、燃焼残渣の捕捉機能が向上される。このため、フィルタを不要にできたり、減量化できたりする。
【００１４】
第１発明のガス発生器は、前記筒状ハウジングが、前記第２端開口部側の周壁部および前記第２端開口部の閉塞面の少なくとも一方にガス排出口を有しており、
前記カップ部材が、前記開口部が前記点火器カラーに当接されて配置されているものであり、
前記第２停止手段が、前記筒状ハウジングの内壁面から内側に突き出された凸部であり、
前記点火器の作動時において、前記カップ部材が前記第２端開口部側に距離Ｌだけ摺動したとき、前記カップ部材開口部の外径（ｄ１）の周壁部が前記第２停止手段である凸部と接触して摺動が停止されるものであることが好ましい。
【００１５】
本実施形態のガス発生器は、筒状ハウジングのガス排出口が、第２端開口部側の周壁および第２端開口部の閉塞面のいずれか一方に形成されているか、または両方に形成されているものである。
第２停止手段は、筒状ハウジングの内壁面の内側に突き出された凸部であり、第１停止手段よりも第２端開口部側に形成されており、作動前のカップ部材の底面部の半径方向に対応する位置からガス排出口の間に形成されているものであることが好ましい。
第１停止手段は特に制限されるものではない。
【００１６】
第１発明のガス発生器は、前記筒状ハウジングが、前記第２端開口部側の周壁部にガス排出口を有しており、
前記カップ部材が、前記筒状ハウジングの第１端開口部から第２端開口部までの長さを１としたとき、第２端開口部から１／２〜１／２０長さ範囲に前記底面が位置し、前記開口部が前記点火器側に面するように配置されているものであり、
前記第２停止手段が、前記筒状ハウジングの第２端開口部側の閉塞面であり、
前記点火器の作動時において、前記カップ部材が前記第２端開口部側に距離Ｌだけ摺動したとき、前記カップ部材の底面部が前記第２停止手段である閉塞面と衝突して摺動が停止されるものであることが好ましい。
【００１７】
本実施形態では、筒状ハウジングのガス排出口は周壁に形成されており、第２端開口部の閉塞面には形成されていない。
第２停止手段は、第２端開口部の閉塞面である。
第１停止手段は特に制限されるものではない。
【００１８】
第１発明のガス発生器は、前記筒状ハウジングが、前記第２端開口部側の周壁にガス排出口を有しており、
前記カップ部材の摺動距離Ｌと、前記筒状ハウジングのガス排出口から前記カップ部材の底面部から最短距離のガス通過孔までの距離Ｌ１が、Ｌ１＞Ｌの関係を有しているものであり、
前記点火器の作動時において、前記カップ部材が第２端開口部側に距離Ｌだけ摺動した後、第２停止手段により停止されたとき、前記カップ部材の周壁部が有している複数のガス通過孔が、前記筒状ハウジングのガス排出口と半径方向に重ならないものであることが好ましい。
【００１９】
上記のＬ１＞Ｌの関係を満たしていると、作動時においてカップ部材のガス通過孔と筒状ハウジングのガス排出口が半径方向に対向することがなくなるため、ガス通過孔から排出された燃焼ガスは、筒状ハウジングの内壁面に衝突した後でガス排出口から排出されることになる。
ガス排出口が第２端開口部（閉塞面）に近い位置の周壁に形成されている場合、カップ部材の摺動が停止されたときには、大部分の燃焼ガスがすでに筒状ハウジングの内壁面に衝突して排出されてしまった状態であると考えられる。
しかし、残部の少量の燃焼ガスであっても、筒状ハウジングの内壁面に衝突させることで、燃焼残渣の捕捉効果およびガスの冷却効果がより高められるので好ましい。
【００２０】
本発明（第２発明）は、ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第１端開口部と前記第２端開口部の間が閉塞部材で閉塞されているものであり、
前記第１端開口部と前記閉塞部材との間において、ガス発生源となるガス発生剤が充填された燃焼室が配置されており、
前記燃焼室と前記閉塞部材の間において、前記ガス排出口が形成されたガス流入室が配置されており、
前記閉塞部材と前記閉塞された第２端開口部の間において、ガス発生源となる加圧ガスが充填された加圧ガス室が配置されており、
前記燃焼室内には、
底面部と、複数のガス通過孔が形成された周壁部と、開口部を有している、前記開口部の外径（ｄ１）が前記底面部の外径（ｄ２）よりも大きなカップ部材が配置されており、
前記カップ部材が、前記開口部が前記点火器側に面するようにして、前記開口部側の周壁部が前記筒状ハウジングの内壁面に当接され、前記当接部分を除いた周壁部と前記筒状ハウジングの内壁面との間に間隙が形成されて配置されており、
前記カップ部材と前記点火器の間に前記ガス発生剤が充填されており、
前記ガス流入室内には、前記閉塞部材を破壊するための破壊手段と、前記破壊手段の摺動を制御するための第１停止手段と第２停止手段が配置されており、
前記破壊手段が、周面が前記ガス流入室を形成する筒状ハウジングの内壁面に当接された、複数の貫通孔を有する基板部と、前記基板部から垂設された、前記閉塞部材を破壊するための破壊部を有しているものであり、
前記第１停止手段が前記燃焼室側に形成され、前記第２停止手段が前記第１停止手段と前記ガス排出口の間に形成されているものであり、
前記燃焼室内に配置されたカップ部材の底面部と前記ガス流入室内に配置された破壊手段の基板部が直接当接されているか、または前記燃焼室とガス流入室との間を密閉するように配置されたシールカップを介して当接されており、
前記点火器が作動する前には、前記破壊手段の基板部が前記第１停止手段に当接されていることで、前記カップ部材と前記破壊手段の第２端開口部側への摺動が停止されており、
前記点火器の作動時には、前記ガス発生剤の燃焼により生じた圧力を受けて前記第１停止手段による停止が解除され、前記カップ部材と前記破壊手段が前記第２端開口部側に距離Ｌだけ摺動した後、第２停止手段により前記カップ部材と前記破壊手段の摺動が停止されるものである、ガス発生器を提供する。
【００２１】
第２発明のガス発生器は、ガス発生源としてガス発生剤と加圧ガスを使用するものであり、質量が大きく、高価なフィルタ（クーラントフィルタ）は不要である。フィルタは、ガス発生剤の種類などに応じて使用することもできるが、その場合であっても、同じガス発生剤を同量使用する従来技術のガス発生器と比べると、フィルタ使用量を減少させることができる。
【００２２】
筒状ハウジングは、鉄、ステンレスなどの金属からなるものである。
ガス流入室に形成されているガス排出口は１または複数であり、防湿のため、金属製のシールテープで閉塞されていてもよい。
【００２３】
カップ部材は、筒状ハウジングと同じ金属からなるものが好ましい。
燃焼室には、公知のガス発生剤が充填されている。
加圧ガス室には、アルゴン、ヘリウムなどが高圧充填されている。
【００２４】
点火器が作動する前は、破壊手段の基板部は第１停止手段により第２端開口部側への摺動が停止されており、カップ部材は前記破壊手段の基板部により第２端開口部側への摺動が停止されている。
第１停止手段は、作動前に前記摺動を停止できるものであれば特に制限されるものではなく、例えば、筒状ハウジングの内壁面から突き出された凸部（複数の独立凸部または環状凸部）や縮径した内壁面を使用できる。
また第１停止手段としては、破壊手段の基板部と筒状ハウジングを複数点で溶接して、前記複数点（好ましくは２〜４点）の溶接部や筒状ハウジング内壁面に対するカップ部材開口部の圧入を第１停止手段とすることができる。
【００２５】
点火器が作動したとき、カップ部材と破壊手段は距離Ｌだけ摺動したあとで第２停止手段により停止される。
第２停止手段は、筒状ハウジング（ガス流入室）の内壁面から突き出された凸部（好ましくは複数の凸部）を使用できる。
また第２停止手段としては、筒状ハウジング（ガス流入室）の内径が小さくされた縮径部（段差部）を使用できる。
【００２６】
点火器が作動したとき、燃焼室内に充填されたガス発生剤が着火燃焼して燃焼ガスが発生する。
燃焼ガスの発生によって燃焼室内の圧力が上昇され、カップ部材が軸方向に摺動して破壊手段の基板を押すため、第１停止手段による停止が解除され、カップ部材と破壊手段の両方は第２端開口部側に摺動して、距離Ｌだけ摺動した後、第２停止手段により摺動が停止される。このとき、破壊手段により閉塞部材が破壊され、加圧ガス室内のガスはガス流入室に入ったあと、ガス排出口から排出される。
このようにカップ部材が停止状態から距離Ｌまで摺動する過程において、カップ部材の周壁部に形成されたガス通過孔から燃焼ガス（燃焼残渣を含む燃焼ガス）は排出され続ける。前記ガス通過孔から排出された燃焼ガスは、前記ガス通過孔と対向している筒状ハウジングの内壁面に衝突したあと、破壊手段の基板部に形成された複数の貫通孔を通ってガス流入室に入り、ガス排出口から排出される。
燃焼ガス（燃焼残渣を含む燃焼ガス）が筒状ハウジングの内壁面と衝突することによって、高温状態の燃焼残渣は筒状ハウジングの内壁面と衝突して冷却され、前記内壁面に付着して捕捉される。また燃焼ガスの温度も低くなる。
ここでカップ部材が初期位置から動かない場合には、カップ部材周壁部のガス通過孔から排出された燃焼ガスは、筒状ハウジング内壁面の同じ箇所にのみ衝突することになるが、上記したとおり、カップ部材が距離Ｌだけ移動した場合には、カップ部材周壁部のガス通過孔から排出された燃焼ガスは、より広い面積の筒状ハウジング内壁面と衝突することになるため、燃焼残渣の捕捉機能が向上される。このため、フィルタを不要にできたり、減量化できたりする。
【００２７】
第１発明と第２発明のガス発生器は、前記カップ部材の開口部側の周壁部のうち、前記筒状ハウジングの内壁面に当接している部分と当接していない部分の境界から前記カップ部材の開口部から最も近いガス通過孔までの距離Ｒと、前記カップ部材の摺動距離Ｌが、Ｒ＞Ｌの関係を有しているものであることが好ましい。
【００２８】
このようにＲ＞Ｌを満たすようにすることで、カップ部材２０が距離Ｌだけ摺動したとき、筒状ハウジング１０の内壁面１１ａに付着した燃焼残渣が、カップ部材の開口部側の周壁部のうち筒状ハウジングの内壁面に当接している部分によって削り取られないようにすることができるので好ましい。
【００２９】
本発明（第３発明）は、ガス排出口を有する筒状ハウジング内にガス発生源が充填されているガス発生器であって、
前記筒状ハウジングが、第１端開口部に点火器カラーと着火部を有する点火器が取り付けられ、長軸方向反対側の第２端開口部が閉塞され、前記第２端開口部側にガス排出口を有しているものであり、
前記筒状ハウジング内の第１端開口部側には、前記点火器の着火部を覆うように被せられた筒部材と、前記筒部材の外側から被せられたカップ部材が配置されており、
前記筒部材が、前記点火器側の第１開口部において前記点火器カラーに固定され、前記第１開口部と軸方向反対側の第２開口部が第１ガス通過孔となり、内部にガス発生剤が充填されているものであり、さらに前記第１開口部側の周壁部において半径方向外側に突き出された第１停止手段となる第１凸部を有しているものであり、
前記カップ部材が、底面部と、複数の第２ガス通過孔が形成された周壁部、および半径方向内側に突き出された凸部が形成された開口部を有しており、前記周壁部と前記筒状ハウジングの内壁面との間に間隙が形成された状態で配置されているものであり、
前記筒部材と前記カップ部材が、前記カップ部材の凸部が前記筒部材の第１開口部と第１凸部の間の周壁部に当接されており、前記筒部材と前記カップ部材の当接されていない部分は互いに間隔が形成されるように配置されているものであり、
前記点火器が作動する前には、前記カップ部材の凸部が前記筒部材の第１凸部に当接されていることで、前記カップ部材の第２端開口部側への摺動が停止されており、
前記点火器の作動時には、前記ガス発生剤の燃焼により生じた圧力を受けて前記第１凸部による停止が解除され、前記カップ部材が前記第２端開口部側に距離Ｌだけ摺動した後、第２停止手段により摺動が停止されるものである、ガス発生器を提供する。
【００３０】
第３発明のガス発生器は、ガス発生源としてガス発生剤のみを使用するものであり、質量が大きく、高価なフィルタ（クーラントフィルタ）は不要である。フィルタは、ガス発生剤の種類などに応じて使用することもできるが、その場合であっても、同じガス発生剤を同量使用する従来技術のガス発生器と比べると、フィルタ使用量を減少させることができる。
【００３１】
筒状ハウジングは、鉄、ステンレスなどの金属からなるものである。
筒状ハウジングが有しているガス排出口は、第２端開口部側にあればよく、第２端部側の周壁部に形成された貫通孔、第２端開口部の閉塞面に形成された貫通孔、または両方に形成された貫通孔のいずれであってもよい。
ガス排出口は、１または複数を有しており、防湿のため、金属製のシールテープなどの公知の方法で閉塞されている。
ガス排出口が第２端開口部側の周壁部に形成されているときは、筒状ハウジングの第１端開口部から第２端開口部までの長さを１とすると、第２端開口部から０．３以下の長さ位置が好ましく、０．２以下の長さ位置がより好ましい。
【００３２】
筒部材とカップ部材は、筒状ハウジングと同じ金属からなるものが好ましい。
筒部材の内部は燃焼室となり、ガス発生剤が充填されている。
筒部材の第２開口部は、そのままで第１ガス通過孔とすることができるほか、前記第２開口部が複数の貫通孔を有する蓋部で閉塞されたものを使用することで、前記貫通孔を第１ガス通過孔としたものでもよい。
筒部材の第２開口部を蓋部で閉塞した構造のものに代えて、底部に複数の貫通孔を有するカップ部材（第１カップ部材）を使用することもできる。筒部材に代えて底部に複数の貫通孔を有する第１カップ部材を使用したときは、筒部材（第１カップ部材）と組み合わせるカップ部材が第２カップ部材となる。
筒部材（第１カップ部材）とカップ部材（第２カップ部材）の長さは、カップ部材（第２カップ部材）が距離Ｌだけ摺動して停止したとき、カップ部材（第２カップ部材）の開口部に形成された半径方向内側に突き出された凸部が筒部材（第１カップ部材）の周壁部と接触できる長さである。このような長さ関係にすることで、作動時に筒部材からカップ部材が脱落することがなくなる。
【００３３】
点火器が作動する前は、カップ部材は第１停止手段により第２端開口部側への摺動が停止されている。
第１停止手段は、筒部材の第１開口部側の周壁部から半径方向外側に突き出された第１凸部である。
点火器の作動前には、カップ部材の開口部において半径方向内側に突き出された凸部が第１凸部に接触していることで摺動が停止されている。
第１凸部は、カップ部材の凸部が独立凸部（好ましくは複数の独立凸部）であるときは環状凸部であり、カップ部材の凸部が環状凸部であるときは独立凸部（好ましくは複数の独立凸部）である。
【００３４】
点火器が作動したとき、カップ部材は距離Ｌだけ摺動したあとで第２停止手段により停止される。
第２停止手段は、筒状ハウジングの内壁面から突き出された凸部（第２凸部）を使用できる。第２停止手段として第２凸部を使用したとき、第２凸部は、カップ部材の凸部が独立凸部（好ましくは複数の独立凸部）であるときは環状凸部であり、カップ部材の凸部が環状凸部であるときは独立凸部（好ましくは複数の独立凸部）である。
また第２停止手段としては、第２端開口部の閉塞面（第２端開口部の閉塞面から突き出された凸部を含む）を使用することができる。
但し、第２端開口部の閉塞面にガス排出口が形成されている場合には、第２停止手段としては、筒状ハウジングの内壁面から突き出された第２凸部、または第２端開口部の閉塞面から突き出された凸部を使用する。
【００３５】
点火器が作動したとき、筒部材の内部（燃焼室）に充填されたガス発生剤が着火燃焼して燃焼ガスが発生する。
燃焼ガスの発生によって燃焼室内の圧力が上昇され、前記圧力の上昇を受けて第１停止手段による停止が解除されるため、カップ部材は第２端開口部側に摺動を開始して、距離Ｌだけ摺動した後、第２停止手段により摺動が停止される。
このようにカップ部材が停止状態から距離Ｌまで摺動する過程において、筒部材の第２開口部（第１ガス通過孔）から排出された燃焼ガスは、カップ部材の底面と周壁部に接触した後、カップ部材の周壁部に形成されたガス通過孔から燃焼ガス（燃焼残渣を含む燃焼ガス）が出される。前記ガス通過孔から排出された燃焼ガスは、前記ガス通過孔と対向している筒状ハウジングの内壁面に衝突したあと、筒状ハウジング内の空間を通ってガス排出口から排出される。
燃焼ガス（燃焼残渣を含む燃焼ガス）がカップ部材の内表面と衝突した後、さらに筒状ハウジングの内壁面と衝突することによって、高温状態の燃焼残渣は、カップ部材の内表面と筒状ハウジングの内壁面と衝突して冷却され、前記内表面および前記内壁面に付着して捕捉される。
このように筒部材とカップ部材を組み合わせると、燃焼ガスに含まれている燃焼残渣は、カップ部材の内表面と筒状ハウジングの内壁面の両方において捕捉されるため、捕捉効果およびガスの冷却効果が高められる。
さらにカップ部材が距離Ｌだけ移動した場合には、カップ部材周壁部のガス通過孔から排出された燃焼ガスは、より広い面積の筒状ハウジング内壁面と衝突することになるため、燃焼残渣の捕捉効果およびガスの冷却効果が高められる。このため、フィルタを不要にできたり、減量化できたりする。
【００３６】
第３発明のガス発生器は、前記筒状ハウジングが、前記第２端開口部側の周壁および前記第２端開口部の閉塞面の少なくとも一方にガス排出口を有しており、
前記第２停止手段が、筒部材の第２開口部側の周壁部において半径方向外側に突き出された第２凸部であり、
前記点火器の作動時において、前記カップ部材が前記第２端開口部側に距離Ｌだけ摺動したとき、前記カップ部材の開口部側の凸部が前記第２停止手段である第２凸部と接触して摺動が停止されるものが好ましい。
【００３７】
本実施形態のガス発生器は、筒状ハウジングのガス排出口が、第２端開口部側の周壁および第２端開口部の閉塞面のいずれか一方に形成されているか、または両方に形成されているものである。
第２停止手段は、筒部材の第２開口部側の周壁部において半径方向外側に突き出された第２凸部である。
点火器の作動時には、カップ部材の凸部と筒部材の第２凸部が接触することで、カップ部材の摺動が停止される。
カップ部材の凸部は複数の独立した突起であることが好ましく、筒部材の第２突起は環状突起であることが好ましい。
第１停止手段は特に制限されるものではない。
【００３８】
第３発明のガス発生器は、前記筒状ハウジングが、前記第２端開口部側の周壁にガス排出口を有しており、
前記第２停止手段が、前記筒状ハウジングの第２端開口部側の閉塞面であり、
前記点火器の作動時において、前記カップ部材が前記第２端開口部側に距離Ｌだけ摺動したとき、前記カップ部材の底面部が前記第２停止手段である閉塞面と衝突して摺動が停止されるものが好ましい。
【００３９】
本実施形態では、筒状ハウジングのガス排出口が周壁に形成されているものであり、閉塞面には形成されていない。
第２停止手段は、第２端開口部側の閉塞面である。
第１停止手段は特に制限されるものではない。
【００４０】
第３発明のガス発生器は、前記筒状ハウジングが、前記第２端開口部側の周壁および前記第２端開口部の閉塞面の少なくとも一方にガス排出口を有しており、
前記第２停止手段が、前記筒状ハウジングの内壁面に形成された縮径部であり、
前記点火器の作動時において、前記カップ部材が前記第２端開口部側に距離Ｌだけ摺動したとき、前記カップ部材の底面部が前記第２停止手段である縮径部と衝突して摺動が停止されるものが好ましい。
【００４１】
本実施形態のガス発生器は、筒状ハウジングのガス排出口が、第２端開口部側の周壁および第２端開口部の閉塞面のいずれか一方に形成されているか、または両方に形成されているものである。
第２停止手段である筒状ハウジングの内壁面に形成された縮径部は、前記縮径部がない筒状ハウジングよりも内径が小さくなっている部分である。
縮径部は、筒状ハウジングが第１端開口部から所定の長さ位置（縮径部）までの内径が、前記所定の長さ位置（縮径部）から第２端開口部までの内径よりも大きくされていることで形成された段差部、筒状ハウジングの内壁面から突き出された環状凸部、または筒状ハウジングの内壁面から突き出された複数の独立凸部を使用することができる。
第１停止手段は特に制限されるものではない。
【００４２】
第３発明のガス発生器は、前記筒状ハウジングが、前記第２端開口部側の周壁にガス排出口を有しており、
前記第２カップ部材の摺動距離Ｌと、前記筒状ハウジングのガス排出口から前記第２カップ部材の底面部から最短距離のガス通過孔までの距離Ｌ１が、Ｌ１＞Ｌの関係を有しているものであり、
前記点火器の作動時において、前記第２カップ部材が第２端開口部側に距離Ｌだけ摺動した後、第２停止手段により停止されたとき、前記第２カップ部材の周壁部が有している複数のガス通過孔が、前記筒状ハウジングのガス排出口と半径方向に重ならないものが好ましい。
【００４３】
上記のＬ１＞Ｌの関係を満たしていると、作動時においてカップ部材のガス通過孔と筒状ハウジングのガス排出口が半径方向に対向することがなくなるため、ガス通過孔から排出された燃焼ガスは、筒状ハウジングの内壁面に衝突した後でガス排出口から排出されることになる。
ガス排出口が第２端開口部（閉塞面）に近い位置の周壁に形成されている場合、カップ部材の摺動が停止されたときには、大部分の燃焼ガスがすでに筒状ハウジングの内壁面に衝突して排出されてしまった状態であると考えられる。
しかし、残部の少量の燃焼ガスであっても、筒状ハウジングの内壁面に衝突させることで、燃焼残渣の捕捉効果およびガスの冷却効果がより高められるので好ましい。
【発明の効果】
【００４４】
本発明のガス発生器は、ガス源としてガス発生剤を含むものであり、作動時には燃焼残渣（ミストを含む）を含んだ燃焼ガスを発生させる。
本発明のガス発生器は、前記燃焼ガスがガス排出口から排出されるまでにおいて、燃焼ガスと筒状ハウジング内壁面などとの衝突面積が増加されているため、前記燃焼残渣を前記筒状ハウジング内壁面において捕捉する効果が高められている。
このため、質量が大きく高価なフィルタを不要にしたり、フィルタの使用量を減量化したりすることができる。
【図面の簡単な説明】
【００４５】
【図１】（ａ）は、第１発明のガス発生器の軸方向断面（作動前）、（ｂ）は（ａ）の作動後の断面図。
【図２】（ａ）は、第１発明の別実施形態のガス発生器の軸方向断面（作動前）、（ｂ）は（ａ）の作動後の断面図。
【図３】（ａ）は、第１発明のさらに別実施形態のガス発生器の軸方向断面（作動前）、（ｂ）は（ａ）の作動後の断面図。
【図４】第１発明のさらに別実施形態のガス発生器の軸方向断面（作動後）。
【図５】（ａ）は、第２発明のガス発生器の軸方向断面（作動前）、（ｂ）は（ａ）の作動後の断面図。
【図６】（ａ）は、第３発明のガス発生器の軸方向断面（作動前）、（ｂ）は（ａ）の作動後の断面図。
【図７】（ａ）は、第３発明の別実施形態のガス発生器の軸方向断面（作動前）、（ｂ）は（ａ）の作動後の断面図。
【図８】第３発明のさらに別実施形態のガス発生器の軸方向断面（作動後）
【発明を実施するための形態】
【００４６】
＜第１発明のガス発生器（図１）＞
図１に示すガス発生器１は、ガス発生源としてガス発生剤のみを使用したものである。
筒状ハウジング１０は、鉄、ステンレスなどの金属からなるものである。
筒状ハウジング１０は、第１端開口部１０ａに点火器カラー１３と着火部１４を有する点火器１２が取り付けられており、長軸Ｘ方向の反対側の第２端開口部１０ｂが閉塞されている（閉塞面１５）。
筒状ハウジング１０の第２端開口部１０ｂ（閉塞面１５）側の周壁部１１には、周方向に均等配置された複数のガス排出口１６が形成されている。
複数のガス排出口１６は、筒状ハウジング１０の長さを１としたとき、閉塞面１５の外表面（即ち、第２端開口部１０ｂ）から０．２以下の長さ位置に形成されている。
複数のガス排出口１６は、防湿のため、内側から金属製のシールテープが貼り付けられている。
図１では、ガス排出口１６は周壁部１１に形成されているが、閉塞面１５に複数が形成されていてもよいし、周壁部１１と閉塞面１５の両方に形成されていてもよい。
【００４７】
筒状ハウジング周壁部１１の内壁面１１ａには、第２停止手段となる凸部１７が形成されている。
凸部１７は、複数の独立した凸部が周方向に均等配置されているもののほか、環状突起や縮径部（環状の段差）であってもよい。
凸部１７の形成位置は、カップ部材２０の摺動距離Ｌとの関係を考慮して調整される。
【００４８】
筒状ハウジング１０内には、カップ部材２０が配置されている。カップ部材２０は、筒状ハウジングと同じ金属からなるものである。
カップ部材２０は、底面部２１と、複数のガス通過孔２３が形成された周壁部２２と、開口部２４を有している。
開口部２４の外径（ｄ１）は底面部２１の外径（ｄ２）よりも大きくなっており、開口部２４側の周壁部２２は段差面２２ｃを有している。段差面２２ｃは、傾斜面でもよいし、階段状の段差面でもよい。
周壁部２２は、底面部２１から段差面２２ｃまでの均一外径である第１周壁部２２ａ、段差面２２ｃから開口部２４までの均一外径である第２周壁部２２ｂを有している。
またカップ部材２０は、図示したもののほかに、底面部２１から開口部２４までが連続した傾斜面からなるものでもよいし、底面部２１から開口部２４近くまでが均一外径部分であり、均一外径部分から開口部２４までが連続した傾斜面からなるものでもよい。
【００４９】
カップ部材２０は、開口部２４が点火器１２側に面するようにして、開口部２４の環状端面２４ａが点火器カラー１３に当接され、開口部２４側の周壁部２２（第２周壁部２２ｂ）が筒状ハウジング周壁部１１の内壁面１１ａに当接されて配置されている。
カップ部材周壁部２２のうち、筒状ハウジング周壁部１１の内壁面１１ａに当接されていない部分（第１周壁部２２ａと段差面２２ｃ）と内壁面１１ａとの間には、間隙２５が形成されている。
カップ部材２０と点火器１２で軸方向から挟まれた空間（燃焼室）２６内に、ガス発生源となる公知のガス発生剤２７が充填されている。
なお、カップ部材２０として、開口部２４側に連続した傾斜面を有するカップ部材を使用したときは、カップ部材２０の開口部２４の周縁部と筒状ハウジング周壁部１１の内壁面１１ａが当接される。
【００５０】
図１（ａ）に示すとおり、点火器１２が作動する前には、カップ部材２０の段差面２２ｃと第１停止手段となる凸部２９が接触していることによって、カップ部材の第２端開口部１０ｂ側への摺動が停止されている。
凸部２９は、複数の独立した凸部が周方向に均等配置されているもののほか、環状突起であってもよい。
なお、第１停止手段としては、前記凸部２９に代えて、カップ部材２０を圧入する方法、開口部２４側の周壁部２２と筒状ハウジング周壁部１１の内壁面１１ａを部分的に溶接する方法などを使用することで、作動前のカップ部材２０の移動を停止抑制でき、作動時に固定状態を解除することができる。
【００５１】
図１によりガス発生器１の動作を説明する。
点火器１２が作動すると、空間（燃焼室）２６のガス発生剤２７が着火燃焼して、高温の燃焼ガスが発生する。
高温の燃焼ガスによる圧力を受けて第１停止手段（凸部）２９による停止が解除され、カップ部材２０は軸Ｘ方向（閉塞面１５方向）に距離Ｌだけ摺動した後、カップ部材２０の段差面２２ｃが第２停止手段１７に衝突して、摺動が停止される。
【００５２】
複数のガス通過孔２３から排出された燃焼ガスは、筒状ハウジング周壁部１１の内壁面１１ａに衝突した後、向きを変えて軸Ｘ方向（閉塞面１５方向）に流れてガス排出口１６から排出される。
筒状ハウジング周壁部１１の内壁面１１ａに高温の燃焼ガスが衝突すると、そこで冷却されるため、燃焼ガスに含まれている燃焼残渣（溶融状態の金属からなるミストを含む）は内壁面１１ａに付着して捕捉される。
上記したとおり、カップ部材２０は距離Ｌだけ摺動するため、ガス通過孔２３から排出された燃焼ガスは、距離Ｌに相当する範囲の内壁面１１ａと衝突することになる。このため、カップ部材２０が摺動しない場合と比べると、燃焼残渣の捕捉効果と燃焼ガスの冷却効果が高められることになる。
【００５３】
また、図１（ａ）、（ｂ）に示すとおり、カップ部材２０の摺動距離Ｌと、筒状ハウジング１０のガス排出口１６からカップ部材２０の底面部２１から最短距離のガス通過孔２３までの距離Ｌ１はＬ１＞Ｌの関係を有している。
このため、図１（ｂ）に示すとおり、カップ部材２０の摺動が停止されたときであっても、複数のガス通過孔２３とガス排出口１６は半径方向に重ならないため、この段階においても、複数のガス通過孔２３から排出された燃焼ガスは、内壁面１１ａに衝突され、燃焼残渣が捕捉されることになる。
ここでＬ１は、筒状ハウジング１０のガス排出口１６の第１端開口部１０ａ側の端と、カップ部材２０の底面部２１から最短距離のガス通過孔２３の第２端開口部１０ｂ側の端との間の距離である。
【００５４】
＜第１発明のガス発生器（図２）＞
図２のガス発生器１Ａは、ガス排出口の位置が異なるほかは、図１に示すガス発生器１と同じものである。
複数のガス排出口１６は、筒状ハウジング１１の第２端開口部１０ｂ側の閉塞面１５に形成され、内側からシールテープで閉塞されている。
複数のガス排出口１６は、例えば、全体が環状になるように配置することができる。
【００５５】
図２によりガス発生器１Ａの動作を説明する。
点火器１２が作動すると、空間（燃焼室）２６のガス発生剤２７が着火燃焼して、高温の燃焼ガスが発生する。
高温の燃焼ガスによる圧力を受けて第１停止手段（凸部）２９による停止が解除され、カップ部材２０は軸Ｘ方向（閉塞面１５方向）に距離Ｌだけ摺動した後、カップ部材２０の段差面２２ｃが第２停止手段１７に衝突して、摺動が停止される。
ここで、作動前のカップ部材２０の底面部２１から閉塞面１５までの距離Ｌ２は、Ｌ２＞Ｌの関係が満たされるように調整されているため、カップ部材２０が距離Ｌだけ摺動しても、底面部２１とガス排出口１６の間には燃焼ガスの排出経路となる隙間が確保されている。
【００５６】
複数のガス通過孔２３から排出された燃焼ガスは、筒状ハウジング周壁部１１の内壁面１１ａに衝突した後、向きを変えて第２端開口部１０ｂに流れてガス排出口１６から排出される。
筒状ハウジング周壁部１１の内壁面１１ａに高温の燃焼ガスが衝突すると、そこで冷却されるため、燃焼ガスに含まれている燃焼残渣（溶融状態の金属からなるミストを含む）は内壁面１１ａに付着して捕捉される。
【００５７】
＜第１発明のガス発生器（図３）＞
図３のガス発生器１Ｂは、カップ部材２０の取り付け位置と第２停止手段が異なるほかは、図１に示すガス発生器１と同じものである。
【００５８】
カップ部材２０は、筒状ハウジング１０の第１端開口部１０ａから第２端開口部１０ｂまでの長さを１としたとき、第２端開口部１０ｂから１／２〜１／２０長さ範囲に底面部２１が位置し、開口部２４が点火器１２側に面するように配置されている。
図３では、カップ部材２０は圧入されている（第１停止手段）が、図１、図２と同様に第１停止手段として凸部２９を使用することもできる。
図３のガス発生器１Ｂは、第２停止手段として閉塞面１５を使用している。
なお、ガス発生剤２７の充填量に応じて燃焼室２６の容量を調節するため、点火器１２との間に貫通孔を有するリテーナを配置することもできる。
【００５９】
図３によりガス発生器１Ｂの動作を説明する。
点火器１２が作動すると、空間（燃焼室）２６のガス発生剤２７が着火燃焼して、高温の燃焼ガスが発生する。
高温の燃焼ガスによる圧力を受けて第１停止手段（圧入部分）による停止が解除され、カップ部材２０は軸Ｘ方向（閉塞面１５方向）に距離Ｌだけ摺動した後、カップ部材２０の底面部２１が閉塞面１５に衝突して、摺動が停止される。
【００６０】
複数のガス通過孔２３から排出された燃焼ガスは、筒状ハウジング周壁部１１の内壁面１１ａに衝突した後、向きを変えて第２端開口部１０ｂに流れてガス排出口１６から排出される。
筒状ハウジング周壁部１１の内壁面１１ａに高温の燃焼ガスが衝突すると、そこで冷却されるため、燃焼ガスに含まれている燃焼残渣（溶融状態の金属からなるミストを含む）は内壁面１１ａに付着して捕捉される。
上記したとおり、カップ部材２０は距離Ｌだけ摺動するため、ガス通過孔２３から排出された燃焼ガスは、距離Ｌに相当する範囲の内壁面１１ａと衝突することになる。このため、カップ部材２０が摺動しない場合と比べると、燃焼残渣の捕捉効果およびガスの冷却効果が高められることになる。
【００６１】
また、図３（ａ）、（ｂ）に示すとおり、カップ部材２０の摺動距離Ｌと、筒状ハウジング１０のガス排出口１６からカップ部材２０の底面部２１から最短距離のガス通過孔２３までの距離Ｌ１はＬ１＞Ｌの関係を有している。
このため、図３（ｂ）に示すとおり、カップ部材２０の摺動が停止されたときであっても、複数のガス通過孔２３とガス排出口１６は半径方向に重ならないため、この段階においても、複数のガス通過孔２３から排出された燃焼ガスは、内壁面１１ａに衝突され、燃焼残渣が捕捉されることになる。
ここでＬ１は、筒状ハウジング１０のガス排出口１６の第１端開口部１０ａ側の端と、カップ部材２０の底面部２１から最短距離のガス通過孔２３の第２端開口部１０ｂ側の端との間の距離である。
【００６２】
＜第１発明のガス発生器（図４）＞
図４のガス発生器１Ｃは、ガス排出口１６の位置と第２停止手段が異なるほかは、図３に示すガス発生器１Ｂと同じものである。
【００６３】
複数のガス排出口１６は、筒状ハウジング１１の第２端開口部１０ｂ側の閉塞面１５に形成されている。
複数のガス排出口１６は、例えば、全体が環状になるように配置することができる。
第２停止手段は、
図４のガス発生器１Ｃは、第２停止手段として閉塞面１５の中心部から内側に突き出された凸部１５ａを使用している。
【００６４】
図４によりガス発生器１Ｃの動作を説明する。
図３のガス発生器１Ｂと同様にして、カップ部材２０は距離Ｌだけ摺動した後、カップ部材２０の底面部２１が閉塞面１５の凸部１５ａに衝突して、摺動が停止される。
【００６５】
複数のガス通過孔２３から排出された燃焼ガスは、筒状ハウジング周壁部１１の内壁面１１ａに衝突した後、向きを変えて第２端開口部１０ｂに流れてガス排出口１６から排出される。
筒状ハウジング周壁部１１の内壁面１１ａに高温の燃焼ガスが衝突すると、そこで冷却されるため、燃焼ガスに含まれている燃焼残渣（溶融状態の金属からなるミストを含む）は内壁面１１ａに付着して捕捉される。
上記したとおり、カップ部材２０は距離Ｌだけ摺動するため、ガス通過孔２３から排出された燃焼ガスは、距離Ｌに相当する範囲の内壁面１１ａと衝突することになる。このため、カップ部材２０が摺動しない場合と比べると、燃焼残渣の捕捉効果およびガスの冷却効果が高められることになる。
【００６６】
図１から４の実施形態においては、筒状ハウジング１０の長さ、カップ部材２０の形状および寸法、カップ部材２０のガス通過孔２３の形成位置などを調整することで、第２周壁部２２ｂと段差面２２ｃの境界部分から、開口部２４から最も近い位置にあるガス通過孔２３の端までの距離Ｒ（図１または図３に示しているＲ）と摺動距離Ｌが、Ｒ＞Ｌの関係を満たすようにすることができる。
このようにＲ＞Ｌを満たすようにすることで、カップ部材２０が距離Ｌだけ摺動したとき、筒状ハウジング１０の内壁面１１ａに付着した燃焼残渣が第２周壁部２２ｂによって削り取られないようにすることができるので好ましい。
【００６７】
＜第２発明のガス発生器（図５）＞
ガス発生器１００は、燃焼室ハウジング１０２と加圧ガス室ハウジング１０３からなる筒状ハウジング１０１を有している。
燃焼室ハウジング１０２と加圧ガス室ハウジング１０３は、鉄、ステンレスなどの金属からなるものであり、溶接により接続されている。
筒状ハウジング１０１は、第１端開口部１０１ａ側には点火器１１１が取り付けられており、第２端開口部１０１ｂ側は閉塞されている（閉塞面１４１）。
【００６８】
燃焼室ハウジング１０２内には、第１端開口部１０１ａ側から順に燃焼室１１０とガス流入室１３０が配置されている。
加圧ガス室ハウジング１０３内は加圧ガス室１４０となっており、ガス流入室１３０と加圧ガス室１４０の間は破裂板１４５で閉塞されている。
【００６９】
燃焼室１１０内に配置された点火器１１１は、着火部１１２が点火器カラー１１３で包囲固定されたものである。
燃焼室１１０とガス流入室１３０の間は、金属製のシールカップ１１５が配置されて仕切られている。金属製のシールカップ１１５は防湿のために使用されているものであり、作動時には開裂して燃焼ガスの排出経路を開放するように機能するものである。燃焼室１１０とガス流入室１３０の間の気密を維持するものとして、シール剤の塗布などのシールカップ以外の手段を使用するか、シールカップ１１５と併用してもよい。
【００７０】
燃焼室１１０内には、カップ部材１２０が配置されている。
カップ部材１２０は、底面部１２１と、複数の第１ガス通過孔１２３が形成された周壁部１２２と、開口部１２４を有している。
開口部１２４の外径（ｄ１）は底面部１２１の外径（ｄ２）よりも大きくなっている。また周壁部１２２の外径よりも大きい。
底面部１２１と周壁部１２２の境界部は、底面部１２１に向かって外径が小さくなった先端傾斜面１２５になっている。
周壁部１２２は、さらに傾斜面１２５を除いた均一外径である第１周壁部１２２ａ、それに続く段差面１２２ｃ、段差面１２２ｃから開口部１２４までの均一外径である第２周壁部１２２ｂを有している。
【００７１】
カップ部材１２０は、開口部１２４が点火器１１１側に面するようにして、開口部１２４側の第２周壁部１２２ｂが燃焼室ハウジングの内壁面１０２ａに当接され、当接部分を除いた段差面１２２ｃ、第１周壁部１２２ａ、傾斜面１２５と燃焼室ハウジングの内壁面１０２ａとの間に間隙１０６が形成されて配置されている。間隙１０６の幅は、燃焼室ハウジングの内壁面１０２ａと傾斜面１２５の間において、他の箇所よりも大きくなっている。
燃焼室１１０内の点火器１１１とカップ部材１２０との間にガス発生剤１１６が充填されている。
なお、ガス発生剤１１６の充填量に応じて燃焼室１１０の容量を調節するため、点火器１１１とカップ部材１２０の間に貫通孔を有するリテーナを配置することもできる。
【００７２】
ガス流入室１３０には、破裂板（閉塞部材）１４５を破壊するための破壊手段１３１が配置されている。
破壊手段１３１は、厚さ方向に複数の貫通孔（第２ガス通過孔）１３２を有する基板部１３３と、基板部１３３の中心部から垂設された破壊部１３４を有している。破壊部１３４の先端部１３５は、破裂板１４５の湾曲形状に対応した形状になっている。
破壊手段１３１の基板部１３３の周面は、燃焼室ハウジング１０２の内壁面１０２ａに当接されている。
破壊手段１３１の基板部１３３の平面（円形面）とカップ部材１２０の底面１２１は、金属製のシールカップ１１５を介して軸Ｘ方向に対向されているが、基板部１３３に形成された第２ガス通過孔１３２と底面１２１は軸Ｘ方向に対向していない。
また基板部１３３に形成された第２ガス通過孔１３２は、燃焼室ハウジングの内壁面１０２ａと傾斜面１２５の間の間隙（他の箇所よりも大きな間隙）１０６に面している。
【００７３】
ガス流入室１３０に面した燃焼室ハウジング１０２には、複数のガス排出口１３６が周方向に均等配置されている。
ガス流入室１３０に面した燃焼室ハウジング１０２の内壁面には、第１停止手段となる凸部（複数の独立した凸部）１３７が形成されており、作動前には、破壊手段１３１の基板部１３３が軸Ｘ方向に摺動することが防止されている。
ガス流入室１３０に面した燃焼室ハウジング１０２は、燃焼室１１０側の周壁部からガス排出口１３６が形成された周壁部の間で外径が小さくされており、内側には第２停止手段となる環状段差面１３８が形成されている。
【００７４】
加圧ガス室１４０内には、アルゴン、ヘリウムなどのガスが高圧で充填されている。前記ガスは閉塞面１４１のガス注入孔から充填された後、前記注入孔は、差し込んだピン１４２と閉塞面１４１を共に溶接することで閉塞されている。
【００７５】
図５によりガス発生源としてガス発生剤と加圧ガスを併用したガス発生器１００の動作を説明する。
点火器１１１が作動すると、燃焼室１１０のガス発生剤１１６が着火燃焼して、高温の燃焼ガスが発生する。
高温の燃焼ガスによる圧力を受けると、カップ部材１２０がガス流入室１４０側に摺動して、破壊手段１３１の基板部１３３を押すことで第１停止手段（凸部１３７）による停止が解除されるため、破壊手段１３１が摺動する。
カップ部材１２０と破壊手段１３１（基板部１３３）は距離Ｌだけ摺動した後、基板部１３３が第２停止手段となる環状段差面１３８と衝突して、摺動が停止される。
カップ部材１２０と破壊手段１３１の摺動が停止したとき、破裂板１４５は破壊部１３４の先端部１３５により破壊されているため、加圧ガス室１４０からガス流入室１３０へのガス排出経路が開放されている。
【００７６】
燃焼室１１０内の燃焼ガスは、カップ部材１２０の複数の第１ガス通過孔１２３から間隙１０６に排出された燃焼ガスは、燃焼室ハウジング１０２の内壁面１０２ａに衝突した後、向きを変えてシールカップ１１５を破った後、基板部１３３の第２ガス通過孔１３２からガス流入室１３０内に排出され、ガス排出口１３６から排出される。
加圧ガス室１４０からガス流入室１３０内に流入した加圧ガスは、燃焼ガスと共にガス排出口１１６から排出される。
【００７７】
燃焼室ハウジング１０２の内壁面１０２ａに高温の燃焼ガスが衝突すると、そこで冷却されるため、燃焼ガスに含まれている燃焼残渣（溶融状態の金属からなるミストを含む）は内壁面１０２ａに付着して捕捉される。
上記したとおり、カップ部材１２０は距離Ｌだけ摺動するため、第１ガス通過孔１２３から排出された燃焼ガスは、距離Ｌに相当する範囲の内壁面１０２ａと衝突することになる。このため、カップ部材１２０が摺動しない場合と比べると、燃焼残渣の捕捉効果およびガスの冷却効果が高められることになる。
【００７８】
図５の実施形態においても、同様の効果を得るため、図１または図３に示したＲ＞Ｌの関係を満たすようにすることができる。
第２周壁部１２２ｂと段差面１２２ｃの境界部分から、開口部１２４から最も近い位置にあるガス通過孔１２３の端までの距離Ｒ（図１または図３に示しているＲ）とカップ部材１２０の摺動距離Ｌが、Ｒ＞Ｌの関係を満たすようにすることができる。
このようにＲ＞Ｌを満たすようにすることで、カップ部材１２０が距離Ｌだけ摺動したとき、燃焼室ハウジング１０２の内壁面１０２ａに付着した燃焼残渣が第２周壁部１２２ｂによって削り取られないようにすることができるので好ましい。
【００７９】
＜第３発明のガス発生器（図６）＞
図６に示すガス発生器２００は、ガス発生源としてガス発生剤のみを使用したものである。
筒状ハウジング２１０は、鉄、ステンレスなどの金属からなるものである。
筒状ハウジング２１０は、第１端開口部２１０ａに点火器カラー２１３と着火部２１４を有する点火器２１２が取り付けられており、長軸Ｘ方向の反対側の第２端開口部２１０ｂが閉塞されている（閉塞面２１５）。
筒状ハウジング２１０の第２端開口部２１０ｂ（閉塞面２１５）側の周壁部２１１には、周方向に均等配置された複数のガス排出口２１６が形成されている。
複数のガス排出口２１６は、筒状ハウジング２１０の長さを１としたとき、閉塞面２１５の外表面（即ち、第２端開口部２１０ｂ）から０．２以下の長さ位置に形成されている。
複数のガス排出口２１６は、防湿のため、内側から金属製のシールテープが貼り付けられている。
図６では、ガス排出口２１６は周壁部２１１に形成されているが、閉塞面２１５に形成されていてもよいし、周壁部２１１と閉塞面２１５の両方に形成されていてもよい。
【００８０】
筒状ハウジング２１０内の第１端開口部２１０ａ側には、点火器の着火部２１４を覆うように被せられた筒部材２２０と、筒部材２２０の外側から被せられたカップ部材２３０が配置されている。
【００８１】
筒部材２２０は、フランジ部を有している第１開口部２２１と軸Ｘ方向反対側の第２開口部２２２を有している。
筒部材２２０は、点火器２１２側の第１開口部２２１において点火器カラー２１３に固定されている。図６では、点火器カラー２１３の環状突起をかしめることで、筒部材の第１開口部２２１のフランジ部が固定されている。
筒部材２２０の周壁部２２０ａは、第１開口部２２１寄りの位置に第１停止手段となる第１凸部（環状凸部）２２５を有している。
筒部材２２０の第２開口部２２２には、半径方向外側に突き出された第２停止手段となる外側環状凸部（第２凸部）２２６ａと、半径方向内側に突き出された内側環状凸部２２６ｂが形成されている。
外側環状凸部（第２凸部）２２６ａは、第１凸部２２５よりも突き出し高さが大きく、周壁部２１１の内壁面２１１ａとの距離は近くなっている。
第２開口部２２２は、複数の貫通孔（第１ガス通過孔）２２４を有する蓋部２２３で閉塞されており、蓋部２２３は、筒部材２２０の内側環状凸部２２６ｂと当接された状態で、圧入されている。
筒部材２２０内部が燃焼室２２７となり、ガス発生剤２２８が充填されている。
【００８２】
カップ部材２３０は、底面部２３１と、複数の第２ガス通過孔２３３が形成された周壁部２３２、開口部２３４を有している。
開口部２３４には、半径方向内側に突き出された内側凸部（独立した複数の凸部）２３５が形成されている。
カップ部材２３０は、周壁部２３２と筒状ハウジング２１０の周壁部２１１の内壁面２１１ａとの間に間隙２３６が形成された状態で配置されている。
内側凸部２３５は、第１停止手段となる第１凸部（環状凸部）２２５よりも点火器２１２に近い位置にあって第１凸部２２５と接触しているため、点火器２１２の作動前には、カップ部材２３０の軸Ｘ方向（閉塞面２１５側）への摺動は停止されている。
【００８３】
図６によりガス発生器２００の動作を説明する。
点火器２１２が作動すると、燃焼室２２７のガス発生剤２２８が着火燃焼して、高温の燃焼ガスが発生する。
蓋部２２３の第１ガス通過孔２２４から排出された高温の燃焼ガスによる圧力を受けて第１停止手段（凸部）２２５による停止が解除され、カップ部材２３０は軸Ｘ方向（閉塞面２１５方向）に距離Ｌだけ摺動した後、カップ部材２３０の内側凸部２３５が第２停止手段となる外側環状凸部（第２凸部）２２６ａに衝突して、摺動が停止される。
【００８４】
カップ部材２３０の複数の第２ガス通過孔２３３から排出された燃焼ガスは、筒状ハウジング周壁部２１１の内壁面２１１ａに衝突した後、向きを変えて軸Ｘ方向（閉塞面２１５方向）に流れてガス排出口２１６から排出される。
筒状ハウジング周壁部２１１の内壁面２１１ａに高温の燃焼ガスが衝突すると、そこで冷却され、燃焼ガスに含まれている燃焼残渣（溶融状態の金属からなるミストを含む）は内壁面２１１ａに付着して捕捉される。
上記したとおり、カップ部材２３０は距離Ｌだけ摺動するため、第２ガス通過孔２３３から排出された燃焼ガスは、距離Ｌに相当する範囲の内壁面２１１ａと衝突することになる。このため、カップ部材２３０が摺動しない場合と比べると、燃焼残渣の捕捉効果およびガスの冷却効果が高められることになる。
【００８５】
また、図６（ａ）、（ｂ）に示すとおり、カップ部材２３０の摺動距離Ｌと、筒状ハウジング２１０のガス排出口２１６からカップ部材２３０の底面部２３１から最短距離の第２ガス通過孔２３３までの距離Ｌ１はＬ１＞Ｌの関係を有している。
このため、図６（ｂ）に示すとおり、カップ部材２３０の摺動が停止されたときであっても、複数の第２ガス通過孔２３３とガス排出口２１６は半径方向に重ならないため、この段階においても、複数の第２ガス通過孔２３３から排出された燃焼ガスは、内壁面２１１ａに衝突され、燃焼残渣が捕捉されることになる。
ここでＬ１は、筒状ハウジング２１０のガス排出口２１６の第１端開口部２１０ａ側の端と、カップ部材２３０の底面部２３１から最短距離の第２ガス通過孔２３３の第２端開口部２１０ｂ側の端との間の距離である。
【００８６】
＜第３発明のガス発生器（図７）＞
図７のガス発生器２００Ａは、筒部材２２０とカップ部材２３０の長さ、第２停止手段が異なるほかは、図６に示すガス発生器２００と同じものである。
第２停止手段は、閉塞面２１５である。
【００８７】
図７によりガス発生器２００Ａの動作を説明する。
点火器２１２が作動すると、燃焼室２２７のガス発生剤２２８が着火燃焼して、高温の燃焼ガスが発生する。
蓋部２２３の第１ガス通過孔２２４から排出された高温の燃焼ガスによる圧力を受けて第１停止手段（凸部）２２５による停止が解除され、カップ部材２３０は軸Ｘ方向（閉塞面２１５方向）に距離Ｌだけ摺動した後、カップ部材２３０の底面部２３１が閉塞面２１５に衝突して、摺動が停止される。
【００８８】
カップ部材２３０の複数の第２ガス通過孔２３３から排出された燃焼ガスは、筒状ハウジング周壁部２１１の内壁面２１１ａに衝突した後、向きを変えて軸Ｘ方向（閉塞面２１５方向）に流れてガス排出口２１６から排出される。
筒状ハウジング周壁部２１１の内壁面２１１ａに高温の燃焼ガスが衝突すると、そこで冷却され、燃焼ガスに含まれている燃焼残渣（溶融状態の金属からなるミストを含む）は内壁面２１１ａに付着して捕捉される。
上記したとおり、カップ部材２３０は距離Ｌだけ摺動するため、第２ガス通過孔２３３から排出された燃焼ガスは、距離Ｌに相当する範囲の内壁面２１１ａと衝突することになる。このため、カップ部材２３０が摺動しない場合と比べると、燃焼残渣の捕捉効果、およびガスの冷却効果が高められることになる。
【００８９】
また、図７（ａ）、（ｂ）に示すとおり、カップ部材２３０の摺動距離Ｌと、筒状ハウジング２１０のガス排出口２１６からカップ部材２３０の底面部２３１から最短距離の第２ガス通過孔２３３までの距離Ｌ１はＬ１＞Ｌの関係を有している。
このため、図７（ｂ）に示すとおり、カップ部材２３０の摺動が停止されたときであっても、複数の第２ガス通過孔２３３とガス排出口２１６は半径方向に重ならないため、この段階においても、複数の第２ガス通過孔２３３から排出された燃焼ガスは、内壁面２１１ａに衝突され、燃焼残渣が捕捉されることになる。
ここでＬ１は、筒状ハウジング２１０のガス排出口２１６の第１端開口部２１０ａ側の端と、カップ部材３２０の底面部２３１から最短距離の第２ガス通過孔２３３の第２端開口部２１０ｂ側の端との間の距離である。
【００９０】
＜第３発明のガス発生器（図８）＞
図８のガス発生器２００Ｂは、第２停止手段が異なるほかは、図６に示すガス発生器２００と同じものである。
第２停止手段は、筒状ハウジング周壁部２１１の内壁面２１１ａから半径方向内側に突き出された凸部（複数の独立凸部）２４０である。そして、カップ部材２３０の底面部２３１の周縁が当接するように、その形状や寸法が調整されている。
【００９１】
図８によりガス発生器２００Ｂの動作を説明する。
点火器２１２が作動すると、燃焼室２２７のガス発生剤２２８が着火燃焼して、高温の燃焼ガスが発生する。
蓋部２２３の第１ガス通過孔２２４から排出された高温の燃焼ガスによる圧力を受けて第１停止手段（凸部）２２５による停止が解除され、カップ部材２３０は軸Ｘ方向（閉塞面２１５方向）に距離Ｌだけ摺動した後、複数の独立凸部２４０に衝突して、摺動が停止される。
【００９２】
カップ部材２３０の複数の第２ガス通過孔２３３から排出された燃焼ガスは、筒状ハウジング周壁部２１１の内壁面２１１ａに衝突した後、向きを変えて軸Ｘ方向（閉塞面２１５方向）に流れてガス排出口２１６から排出される。
筒状ハウジング周壁部２１１の内壁面２１１ａに高温の燃焼ガスが衝突すると、そこで冷却され、燃焼ガスに含まれている燃焼残渣（溶融状態の金属からなるミストを含む）は内壁面２１１ａに付着して捕捉される。
上記したとおり、カップ部材２３０は距離Ｌだけ摺動するため、第２ガス通過孔２３３から排出された燃焼ガスは、距離Ｌに相当する範囲の内壁面２１１ａと衝突することになる。このため、カップ部材２３０が摺動しない場合と比べると、燃焼残渣の捕捉効果およびガスの冷却効果が高められることになる。
【００９３】
また、図８に示すとおり、カップ部材２３０の摺動距離Ｌと、筒状ハウジング２１０のガス排出口２１６からカップ部材２３０の底面部２３１から最短距離の第２ガス通過孔２３３までの距離Ｌ１はＬ１＞Ｌの関係（図７（ａ）、（ｂ）で示されているＬ１＞Ｌの関係と同じ）を有している。
このため、図８に示すとおり、カップ部材２３０の摺動が停止されたときであっても、複数の第２ガス通過孔２３３とガス排出口２１６は半径方向に重ならないため、この段階においても、複数の第２ガス通過孔２３３から排出された燃焼ガスは、内壁面２１１ａに衝突され、燃焼残渣が捕捉されることになる。
ここでＬ１は、筒状ハウジング２１０のガス排出口２１６の第１端開口部２１０ａ側の端と、カップ部材３２０の底面部２３１から最短距離の第２ガス通過孔２３３の第２端開口部２１０ｂ側の端との間の距離である。
【産業上の利用可能性】
【００９４】
本発明のガス発生器は、自動車に搭載するエアバッグ装置用のガス発生器として使用することができる。
【符号の説明】
【００９５】
１  ガス発生器
１０  筒状ハウジング
１１  筒状ハウジング周壁部
１２  点火器
１５  閉塞面
１６  ガス排出口
２０  カップ部材
２３  ガス通過孔
２７  ガス発生剤
【図１】
2017121858.tif 000003
【図２】
2017121858.tif 000004
【図３】
2017121858.tif 000005
【図４】
2017121858.tif 000006
【図５】
2017121858.tif 000007
【図６】
2017121858.tif 000008
【図７】
2017121858.tif 000009
【図８】
2017121858.tif 000010